(57)【要約】【課題】  発明が解決しようとする課題はコンパクトなカメラ及びカメラ機能を備えた携帯電子機器において、主に近距離撮影における不自然な影を排除し、赤ちゃんやペットの目を痛めることを防止し、光源を内蔵するカメラ機器において光源装置が内蔵する光量の自動調節等の機能を有効に生かして簡単着脱できる撮影用光源アダプターを提供することである。【解決手段】  カメラ機器前面に透明な樹脂で形成された板状の導光板をカメラ機器に内蔵する光源の発光部の前面と撮影レンズの周囲を含む範囲に設置し、導光板の発光部の前面に当たる部分を傾斜した反射面に形成し、撮影レンズの周囲部分の外側面に傾斜した外側反射面を形成するごとくなしたことを特徴とする撮影用光源アダプター。【選択図】図１
2015079088.tif 000002
【特許請求の範囲】
【請求項１】
カメラ機器前面に透明な樹脂で形成された板状の導光板をカメラ機器に内蔵する内臓光源の発光部の前面と撮影レンズの周囲を含む範囲に設置し、導光板の発光部の前面に当たる部分を傾斜した反射面に形成し、撮影レンズの周囲部分の外側面に傾斜した外側反射面を形成するごとくなしたことを特徴とする撮影用光源アダプター。
【発明の詳細な説明】
【技術分野】
【０００１】
本発明は、主に写真撮影に使用する光源のアダプターに関するものであり、特に近距離撮影時に用いる撮影用光源アダプターに関するものである。
【背景技術】
【０００２】
カメラ撮影時に自然光では光量が不足する場合にストロボ発光による光源を使用することが多い。強い光を得ることが出来るのでシャッター速度を速くしてブレの少ない鮮明な画像を得ることが出来る。しかし、近距離撮影時にはストロボの光源の位置がレンズの光軸と一致していない為に一方向からの照明となり光源の反対側に強い影が生じ、見た目の画像とはかなり異なった不自然な画像となることが多い。また、ストロボ光源が小さく鋭いために赤ん坊やペットの撮影において、近距離からストロボを使用して撮影すると驚かしたり目を痛めたりすることがある。その他、目が赤く写るいわゆる赤目現象の原因ともなる。
【先行技術文献】
【特許文献】
【０００３】
【特許文献１】特許３６５０６６２公報  近距離撮影用のストロボ光源装置としては、特許文献１に示すようなリング状の発光管を撮影レンズ先端部に同軸状に取り付けるものがある。撮影条件としては良好であるが装置自体がかなり大型のもので高価なものであり、コンパクトで手軽なカメラに適するものではない。また、ストロボ発光管の代わりにＬＥＤを複数個使用するものがあるが、本質的な改良ではなくそれほど小型に纏め得るものでもない。
【発明の概要】
【発明が解決しようとする課題】
【０００４】
発明が解決しようとする課題は、撮影用光源を内蔵するカメラ及びカメラ内臓携帯機器などにおいて、その光量の自動調節等の機能を有効に生かして簡単に着脱使用できる撮影用光源アダプターを提供することである。
【課題を解決するための手段】
【０００５】
本発明の上記課題を解決するための手段は、透明な樹脂で形成された板状の導光板を内臓光源の発光部の前面と撮影レンズの周囲を含む範囲に設置し、発光部の前面を傾斜した反射面に形成し、撮影レンズの周囲部分の外側面に傾斜した反射面を形成するとともにカメラ部分へ固定部材を設けた撮影用光源アダプターを提供するものである。
【発明の効果】
【０００６】
本発明の第１の効果は、透明な樹脂で形成された板状の導光板はカメラの前面に取り付けたときピント合わせ用の光源やタイマー作動表示ランプ等の光を妨げることがなく内臓光源の光線を内部全反射効果によって効率良く撮影レンズの周囲部分の外側面に導く。周囲部分の傾斜した反射面はこの光を被写体方向に向けて照射する。この光は総合的に撮影用のレンズの光軸周辺にあり、相互に影を打ち消すので撮影画面上に側面からだけの照明で撮影した時のような強い影を写しこむようなことはない。
【０００７】
本発明の第２の効果は、傾斜した反射面は内臓光源の発光面に比べて広い面積をもつものとなっているために光は分散され弱まっている。したがって近距離で赤ちゃんやペットに向けても目を痛めたり驚かしたりすることはない。同様の理由で赤目現象が生じることもない。
【０００８】
本発明の第３の効果は、本発明の主要な要素は透明な樹脂で形成された板状の導光板のみである為に構造は簡単であり軽量・コンパクトでカメラ及び携帯機器への着脱も容易で安価に製造することが出来る。
【図面の簡単な説明】
【０００９】
【図１】図１は、本発明の撮影用光源アダプターの一実施例の構造を示す側面図である。
【図２】図２は、本発明の撮影用光源アダプターの一実施例の構造を示す正面図である。
【図３】図３は、本発明の撮影用光源アダプターの一実施例の構造を示す１部分断面矢視図である。
【図４】図４は、本発明の撮影用光源アダプターの他の実施例の構造を示す正面図である。
【発明を実施するための形態】
【００１０】
本発明の撮影用光源アダプターの機能を損なわない範囲で簡略化した一実施例の構造を示す。
【実施例】
【００１１】
図１は、本発明の撮影用光源アダプターの一実施例の構造を示す側面図であり、図２は、本発明の撮影用光源アダプターの一実施例の構造を示す正面図である。図３は図２におけるＡ−Ａ部分断面矢視図である。
図１、図２及び図３において、カメラ１の前面に透明な樹脂で形成された板状の導光板２をカメラ１に内蔵する内臓光源の発光部３の前面と撮影レンズ４の周囲を含む範囲に設置し、導光板２の発光部３の前面に当たる部分を傾斜した反射面５に形成し、撮影レンズ４の周囲部分の外側面に傾斜した外側反射面６を形成するごとくなしたことを特徴とする撮影用光源アダプターを提供するものである。カメラへの固定は固定用ブロック７をネジ部材８で導光板２に設けたネジ穴９に締め付けることで行う。この場合位置決めの基準として図示しない三脚取り付けネジを利用することを妨げるものではない。
１０は撮影レンズ４との干渉を避ける円形穴であり円周面は反射面を形成している。また、複数斜面１１は一部の方向からの照射光の不足を補う反射面である。内臓光源の発光部３から放射する光は線Ｂ、Ｃに示すごとき経路で被写体を照射する。これらの光は撮影レンズ４とほぼ同軸となる円弧状の方向から被写体を照射するために撮影時に一方向から強い光で照射した場合に比べて柔らかな照明となり、極端な影を生じることがない。
【００１２】
なお、導光板２は板状と説明したが必要に応じて一部に穴や凹凸を設けても良くまた、反射面５及び外側反射面６は反射光の方向を整える為に曲面あるいは梨地面としても本発明の主旨を損なうものではない。更に内臓光源付近の被写体に向かう光の漏れが強い場合は一部を不透明な皮膜で覆ってもよいことは言うまでもない。
［作用］
【００１３】
上記実施形態に示す本発明の撮影用光源アダプターは近距離撮影する時に導光板２をカメラ１の前面に、固定用ブロック７をネジ部材８で導光板２に設けたネジ穴９に締め付けること。このとき反射面５はカメラ１に内蔵する内臓光源の発光部３の前面に位置し、外側反射面６は撮影レンズ４の周囲部分の外側面に位置する状態となる。この状態で発光部３が発光するとその光は反射面５によって反射して導光板２の板面とほぼ並行な方向に向く。この光は透明な導光板２の内面反射により外部に漏れずに進み撮影レンズ４の周囲部分の外側面に傾斜した外側反射面６から被写体方向に反射して照射する。例としては線Ｂに示すごとき経路で被写体を照射する。これらの光は撮影レンズ４とほぼ同軸となる円弧状の方向から被写体を照射するために、撮影時に一方向から強い光で照射した場合に比べて柔らかな照明となり、光源の反対側に極端な影を生じることがない。この間円形穴１０にも反射する光もあるが再度外側反射面６によって被写体方向に反射して照射する。複数斜面１１は一部の方向からの照射光の不足を補う反射面でありその光路は線Ｃに例示すものである。カメラ１の前面にはピント合わせ用の光源やタイマー作動表示ランプ等の発光部があるが透明な導光板２はこれらの機能を損なうことはない。また発光部３の面積に比べて外側反射面６の面積は一般的に数倍の面積をもつものとなり、近距離から目に入っても目を痛めるほどの強さを持つものではないので赤ちゃんやペットを近距離から撮影する時に用いても支障はない。更に内臓光源の持つ光量の自動調節等の機能はそのまま利用できるので撮影の失敗の原因となることはない。
【００１４】
図４は、本発明の撮影用光源アダプターの他の実施例の構造を示す正面図である。図４において２１はカメラ機能を有する携帯電話等の携帯機器であり、本発明においてはこのような電子機器も総合的にカメラとみなしカメラ機器と呼ぶものとする。２２は板状の透明樹脂で形成された板状の導光板、２３は携帯機器に内蔵する内臓光源の発光部、２４は撮影レンズ、２５は導光板２２に設けた発光部２３の前面に当たる傾斜した反射面、２６は撮影レンズ２４の周囲部分の外側面に形成した傾斜した外側反射面である。３０は撮影レンズ２４との干渉を避ける円形穴であり円周面は反射面を形成している。
【００１５】
図４に示す実施例においても作用、効果は図１、図２、図３に示すものと同様であるが、携帯電話等では撮影レンズ２４が携帯機器２１のコーナーに位置するものが多いので導光板２２は携帯機器２１の外形からはみ出した形状となる。この状態が使用上不都合となる場合は外側反射面２６の一部を縮小又はカットしても本発明の効果を決定的に損なうものではない。
【産業上の利用可能性】
【００１６】
以上の説明で明らかなごとく本発明の撮影用光源アダプターはカメラ機器への取り付けが簡単で、構造は平面的な透明樹脂製のものであり安価に製造することが出来る。その上コンパクトなカメラ及びカメラ機能付きの携帯電話等の主要な用途のひとつといえる赤ちゃんやペットの撮影に極めて適したものであり、その実用性はきわめて広くカメラ機器市場の拡大における効果は極めて著しい。
【符号の説明】
【００１７】
１    カメラ
２    導光板
３    発光部
４    撮影レンズ
５    反射面
６    外側反射面
７    固定用ブロック
８    ネジ部材
９    ネジ穴
１０  円形穴
１１  複数斜面
２１  電子機器
２２  導光板
２３  発光部
２４  撮影レンズ
２５  反射面
２６  外側反射面
３０  円形穴
【図１】
2015079088.tif 000003
【図２】
2015079088.tif 000004
【図３】
2015079088.tif 000005
【図４】
2015079088.tif 000006